(57)【要約】【課題】描画部に隣接する乾燥部の影響による描画部の温度上昇を効果的に抑制することができる印刷装置及び記録媒体搬送装置を提供する。【解決手段】描画部(18)に隣接する乾燥部(16)は、ヒータ(94)とファン(96)との組み合わせにより構成される熱風ユニット(50)を有する。熱風ユニット(50)に対向して乾燥部(16)における記録媒体の搬送路に沿ってガイド部材(48)が設置される。ガイド部材(48)は、熱風ユニット(50)から出された熱風をガイド面よりも重力方向下側の下部領域へと逃がす開口部又は開閉機構を有する。ガイド部材(48)の下部領域に、熱風を機外へ排出する排気機構(51)が設けられる。制御部は、ヒータによる加熱を停止させ、かつ、ヒータの非加熱状態でファンによる送風を実施することにより、描画部を冷やす冷却制御を行う。【選択図】図２
2015217609.tif 000002
【特許請求の範囲】
【請求項１】
記録媒体に画像を形成する描画部と、
前記描画部に隣接する乾燥部であって、ヒータとファンとの組み合わせにより構成される熱風ユニットを有する乾燥部と、
前記ヒータ及び前記ファンを制御する制御部と、
前記熱風ユニットに対向して前記乾燥部における前記記録媒体の搬送路に沿って設置され、搬送中の前記記録媒体をガイドするガイド部材と、を備え、
前記ガイド部材は、前記熱風ユニットから出された熱風を前記ガイド部材のガイド面よりも重力方向下側の下部領域へと逃がす開口部又は開閉機構を有し、
前記ガイド部材の前記下部領域に、前記開口部又は前記開閉機構を通じて前記下部領域に流れた前記熱風を機外へ排出する排気機構が設けられ、
前記制御部は、前記ヒータによる加熱を停止させ、かつ、前記ヒータの非加熱状態で前記ファンによる送風を実施することにより、前記描画部を冷やす冷却制御を行う、印刷装置。
【請求項２】
前記ガイド部材における前記開口部又は前記開閉機構は、前記熱風ユニットの前記ファンと前記排気機構の間に配置される、請求項１記載の印刷装置。
【請求項３】
前記ガイド部材は、前記熱風ユニットの送風口と対面する対向位置に、前記開口部又は前記開閉機構を有している、請求項１又は２に記載の印刷装置。
【請求項４】
前記乾燥部には、機外から機内に気体を取り入れる吸気部及び吸気ファンを備える、請求項１から３のいずれか１項に記載の印刷装置。
【請求項５】
前記吸気ファンが取り付けられた前記吸気部と前記排気機構との間に、前記熱風ユニットの前記ファンが配置される、請求項４に記載の印刷装置。
【請求項６】
前記制御部は、前記描画部による画像の形成を実施していない非印刷中に前記冷却制御を行う、請求項１から５のいずれか１項に記載の印刷装置。
【請求項７】
前記制御部は、印刷ジョブの終了後、次の印刷ジョブを開始するまでの前記非印刷中である印刷ジョブ間に前記冷却制御を行う、請求項６に記載の印刷装置。
【請求項８】
前記描画部において前記記録媒体を搬送する第１搬送部と、
前記第１搬送部の温度を検出する温度検出部と、
を備え、
前記制御部は、前記温度検出部から得られる温度の検出結果を基に前記冷却制御を行う、請求項１から７のいずれか１項に記載の印刷装置。
【請求項９】
前記温度検出部により検出された温度が閾値を超えた場合に前記冷却制御が行われる、請求項８に記載の印刷装置。
【請求項１０】
前記乾燥部は、前記第１搬送部との間で記録媒体の受け渡しを行う第２搬送部を有し、
前記第２搬送部の内側に前記熱風ユニットが配置されている、請求項８又は９に記載の印刷装置。
【請求項１１】
前記第１搬送部は、前記記録媒体を保持して回転する描画胴であり、前記第２搬送部は、前記記録媒体を把持するグリッパを具備した渡し胴である、請求項１０に記載の印刷装置。
【請求項１２】
前記温度検出部により検出された温度が閾値を超えた場合に警告を提示する警告提示部を備える、請求項８から１１のいずれか１項に記載の印刷装置。
【請求項１３】
前記描画部に、インクジェットヘッドを備える、請求項１から１２のいずれか１項に記載の印刷装置。
【請求項１４】
前記排気機構を通じて前記熱風を機外に排出するための排気ファンを具備した排気装置を備える、請求項１から１３のいずれか１項に記載の印刷装置。
【請求項１５】
前記描画部による画像の形成を行う前の前記記録媒体に対して処理液を付与する処理液付与部を有し、
前記乾燥部は、前記描画部に対して、前記記録媒体の搬送方向の上流側に隣接しており、前記処理液付与部によって前記記録媒体に付与された処理液を乾燥させる、請求項１から１４のいずれか１項に記載の印刷装置。
【請求項１６】
記録媒体に画像を形成する描画部に隣接する乾燥部であって、ヒータとファンとの組み合わせにより構成される熱風ユニットを有する乾燥部と、
前記ヒータ及び前記ファンを制御する制御部と、
前記熱風ユニットに対向して前記乾燥部における前記記録媒体の搬送路に沿って設置され、搬送中の前記記録媒体をガイドするガイド部材と、を備え、
前記ガイド部材は、前記熱風ユニットから出された熱風を前記ガイド部材の重力方向下側の下部領域へと逃がす開口部又は開閉機構を有し、
前記ガイド部材の前記下部領域に、前記開口部又は開閉機構を通じて前記下部領域に流れた前記熱風を機外へ排出する排気機構が設けられ、
前記制御部は、前記ヒータによる加熱を停止させ、かつ、前記ヒータの非加熱状態で前記ファンによる送風を実施することにより、前記描画部を冷やす冷却制御を行う、記録媒体搬送装置。
【発明の詳細な説明】
【技術分野】
【０００１】
本発明は印刷装置及び記録媒体搬送装置に係り、特にインクジェットその他の印刷方式によって記録媒体に画像を形成する印刷装置、並びに、記録媒体を搬送するための記録媒体搬送装置に関する。
【背景技術】
【０００２】
特許文献１には、インクジェットヘッドによる画像形成後の記録媒体に熱風を吹き付けて記録媒体を乾燥させる熱風乾燥手段を備えたインクジェット記録装置が開示されている。特許文献１では、カックルを確実に抑制するために液滴吐出後の記録媒体に対する乾燥を早め、かつ、描画胴の温度上昇を抑制するという課題を解決するための記録媒体搬送装置及び画像形成装置の発明を提供している。
【０００３】
特許文献１に記載の発明では、描画胴から画像形成後の記録媒体が受け渡される渡し胴に熱風乾燥手段としての乾燥ユニットが設けられており、液滴吐出後の記録媒体に対して早期に乾燥を実施する構成となっている。さらに、特許文献１の乾燥ユニットは、渡し胴の回転軸回りに回転可能に取り付けられたシャフトに固定されており、描画胴の上に記録媒体がないとき、乾燥ユニットの熱風が描画胴の上へ行かないようにシャフトを回転させて熱風を吹き出す向きを変える制御が行われる。このような熱風の吹き出し向きの制御により、描画胴の昇温を抑制する構成となっている。
【先行技術文献】
【特許文献】
【０００４】
【特許文献１】特開２０１２−１３１０６５号公報
【発明の概要】
【発明が解決しようとする課題】
【０００５】
特許文献１の段落００１２で言及しているように、描画胴の温度が高温になると、画像形成に際して問題が発生する。例えば、描画胴の温度がある温度を超えて高温になると、描画胴に対向するインクジェットヘッドの吐出面が結露し、その結露によってインクの吐出口がランダムに塞がれてしまい、画像欠陥につながる。
【０００６】
特許文献１に記載の発明では、描画胴上に記録媒体がないときに、乾燥ユニットの熱風の吹き出し向きを変えて、熱風が描画胴上に行かないように工夫されている。特許文献１に記載の発明によれば、乾燥ユニットから吹き出される熱風が直接的に描画胴を加熱することは回避されるものの、乾燥ユニットから出た加熱空気は、乾燥ユニットを保持する渡し胴の内側及びその周辺にこもり、高温の空気が機内に停留するため、描画胴の昇温を抑制する効果が必ずしも十分ではない。
【０００７】
また、画像形成後のインク乾燥を行う乾燥ユニットによる熱の影響に限らず、例えば、インクジェットヘッドによってインクを打滴する前の記録媒体に対してプレコート液としての処理液を付与する処理液付与部と、処理液付与後の記録媒体を描画胴に渡す前に処理液を乾燥させるプレコート乾燥部とを備える装置構成の場合、プレコート乾燥部の熱の影響によって描画胴の温度が上昇するという問題もある。
【０００８】
上記の課題は、インクジェット方式の印刷装置に限らず、画像形成を行う描画部の前段若しくは後段、又はその両方に、熱源を含んだ乾燥部を具備する各種の記録方式による印刷装置に共通する課題である。
【０００９】
本発明はこのような事情に鑑みてなされたもので、描画部に隣接する乾燥部の影響による描画部の温度上昇を効果的に抑制することができる印刷装置及び記録媒体搬送装置を提供することを目的とする。
【課題を解決するための手段】
【００１０】
課題を解決するため、次の発明態様を提供する。
【００１１】
第１態様に係る印刷装置は、記録媒体に画像を形成する描画部と、描画部に隣接する乾燥部であって、ヒータとファンとの組み合わせにより構成される熱風ユニットを有する乾燥部と、ヒータ及びファンを制御する制御部と、熱風ユニットに対向して乾燥部における記録媒体の搬送路に沿って設置され、搬送中の記録媒体をガイドするガイド部材と、を備え、ガイド部材は、熱風ユニットから出された熱風をガイド部材のガイド面よりも重力方向下側の下部領域へと逃がす開口部又は開閉機構を有し、ガイド部材の下部領域に、開口部又は開閉機構を通じて下部領域に流れた熱風を機外へ排出する排気機構が設けられ、制御部は、ヒータによる加熱を停止させ、かつ、ヒータの非加熱状態でファンによる送風を実施することにより、描画部を冷やす冷却制御を行う、印刷装置である。
【００１２】
「ヒータ」という用語は、熱を発する装置の総称として用いる。「ヒータ」と同義の用語として、例えば、加熱器、加熱装置、発熱装置、熱源などを挙げることができる。
【００１３】
「ファン」という用語は、気流を発生させる装置の総称として用いる。「ファン」と同義の用語として、例えば、送風機、送風器、送風装置、ブロア、気流発生装置など挙げることができる。
【００１４】
「熱風」という用語は、加熱された気体の流れの総称として用いる。「熱風」は、温風を包含する概念の用語として用いる。「熱風」という記載は、加熱の温度や気体の種類について解釈上の限定を含むものではない。気体としては、一般的には空気が想定される。本明細書では、空気環境の下で印刷装置が用いられることを想定した説明を行う。ただし、空気以外の特殊な気体環境の下で印刷装置を使用することも考えられる。「空気」という記載によって、他の気体の種類を排除するものではなく、気体環境に応じて「空気」という用語は、適宜その気体環境における周囲気体などに置き換えて理解することができるものである。
【００１５】
「開閉機構」は、開状態と閉状態とを選択的に得ることができる機械的構造である。開閉機構が開状態にある場合に、気体はその開放開口部を通ってガイド部材の重力方向下側の下部領域へと移動することができる。開閉機構の一例として、熱風ユニットから吹き出される風の力によって可動部が押されて開状態となり、可動部に風の力が作用しなくなった場合に可動部が閉状態の位置に復帰する構成とすることができる。
【００１６】
「機外」とは、印刷装置の外部を意味している。一般的には、印刷装置の外装パネルが機内と機外を分ける境界となり、外装パネルの外側が機外に相当する。
【００１７】
「排気機構」は、排気を促す構造物や構造そのものをいう。例えば、排気用の気体の通路となるダクト、熱風を集める回収構造体、チャンバー、若しくはこれらの組み合わせなどは「排気機構」に該当する。
【００１８】
「印刷装置」は、無版式、有版式を問わない。印刷装置という用語は、プリンタ、画像記録装置、画像形成装置、描画装置、印刷機、画像出力装置などの用語を包括する意味で用いる。
【００１９】
第１態様によれば、熱風ユニットから吹き出された熱風は、ガイド部材の開口部又は開閉機構を通じて、ガイド部材の下部領域へと移動し、排気機構を通じて機外に排出される。このように排気性能を強化した構成を採用したことで、乾燥部の付近に熱がこもらず、描画部の温度上昇そのものを効果的に抑制できる。また、この態様によれば、熱風ユニットのヒータとファンを別々に駆動制御することができ、ヒータを停止させた状態でファンを駆動し、非加熱の送風を行うことができる。このような非加熱の気流は空冷効果があり、排気強化の構成とが相まって、描画部の冷却効果を高めることができる。
【００２０】
第２態様として、第１態様の印刷装置において、ガイド部材における開口部又は開閉機構は、熱風ユニットのファンと排気機構の間に配置される構成とすることができる。
【００２１】
熱風ユニットのファンと、ガイド部材の開口部又は開閉機構と、排気機構との三者が概ね直線上に並ぶ配置形態とすることにより、乾燥部内にこもる加熱空気をガイド部材の外側に排出しやすいものとなる。
【００２２】
第３態様として、第１態様又は第２態様の印刷装置において、ガイド部材は、熱風ユニットの送風口と対面する対向位置に、開口部又は開閉機構を有している構成とすることができる。
【００２３】
第３態様によれば、熱風ユニットの送風口から吹き出される温風を効果的にガイド部材の下部領域へと逃がすことができる。これにより、乾燥部内に加熱空気がこもらず、効果的に抑制することが可能である。
【００２４】
第４態様として、第１態様から第３態様のいずれか１態様の印刷装置において、乾燥部には、機外から機内に気体を取り入れる吸気部及び吸気ファンを備える構成とすることができる。
【００２５】
第４態様によれば、相対的に低温低湿の気体を機外から乾燥部に導き入れることができる。第４態様は、排気強化の構成と相まって、描画部の温度上昇の抑制効果をより一層高めることができ、冷却制御の際の描画部の冷却効果も向上させることができる。
【００２６】
第５態様として、第４態様の印刷装置において、吸気ファンが取り付けられた吸気部と排気機構との間に、熱風ユニットのファンが配置される構成とすることができる。
【００２７】
吸気部と、熱風ユニットのファンと、排気機構との三者が概ね直線上に並ぶ配置形態とすることにより、乾燥部内にこもる加熱空気をガイド部材の外側に排出しやすいものとなる。
【００２８】
第６態様として、第１態様から第５態様のいずれか１態様の印刷装置において、制御部は、描画部による画像の形成を実施していない非印刷中に冷却制御を行う構成とすることができる。
【００２９】
第６態様は、印刷中の描画部や乾燥部の温度の条件を含む画像形成条件の急激な変動を回避して安定した印刷品質を確保することができる。
【００３０】
第７態様として、第６態様の印刷装置において、制御部は、印刷ジョブの終了後、次の印刷ジョブを開始するまでの非印刷中である印刷ジョブ間に冷却制御を行う構成とすることができる。
【００３１】
第７態様によれば、ジョブ内での印刷品質の安定化を達成でき、かつ、描画部の温度上昇による悪影響を防止することができる。
【００３２】
第８態様として、第１態様から第６態様のいずれか１態様の印刷装置において、描画部において記録媒体を搬送する第１搬送部と、第１搬送部の温度を検出する温度検出部と、を備え、制御部は、温度検出部から得られる温度の検出結果を基に冷却制御を行う構成とすることができる。
【００３３】
第８態様によれば、描画部の温度を監視して、適応的に冷却制御を実施することができる。特に、冷却制御による冷却処理を非印刷中に限って実施する構成の場合に、生産性と品質安定性を両立させることができる。
【００３４】
第９態様として、第８態様の印刷装置において、温度検出部により検出された温度が閾値を超えた場合に冷却制御が行われる構成とすることができる。
【００３５】
第１０態様として、第８態様又は第９態様の印刷装置において、乾燥部は、第１搬送部との間で記録媒体の受け渡しを行う第２搬送部を有し、第２搬送部の内側に熱風ユニットが配置されている構成とすることができる。
【００３６】
第１１態様として、第１０態様の印刷装置において、第１搬送部は、記録媒体を保持して回転する描画胴であり、第２搬送部は、記録媒体を把持するグリッパを具備した渡し胴である構成とすることができる。
【００３７】
第１２態様として、第８態様から第１１態様のいずれか１態様の印刷装置において、温度検出部により検出された温度が閾値を超えた場合に警告を提示する警告提示部を備える構成とすることができる。
【００３８】
第１３態様として、第１態様から第１２態様のいずれか１態様の印刷装置において、描画部に、インクジェットヘッドを備える構成とすることができる。
【００３９】
第１４態様として、第１態様から第１２態様のいずれか１態様の印刷装置において、排気機構を通じて熱風を機外に排出するための排気ファンを具備した排気装置を備える構成とすることができる。
【００４０】
排気装置は印刷装置と別体の装置として構成することができる。印刷装置と別体に構成された排気装置は、印刷装置に対して、排気用の管路などを介して着脱可能に接続される形態とすることができる。排気装置は、印刷装置に専用の付属装置として提供されてもよいし、他の排気用途に共用される兼用の装置であってもよい。
【００４１】
なお、印刷装置と別体の排気装置に代えて、又はこれと組み合わせて、印刷装置に排気ファンを搭載する形態も可能である。
【００４２】
第１５態様として、第１態様から第１４態様のいずれか１態様の印刷装置において、描画部による画像の形成を行う前の記録媒体に対して処理液を付与する処理液付与部を有し、乾燥部は、描画部に対して、記録媒体の搬送方向の上流側に隣接しており、処理液付与部によって記録媒体に付与された処理液を乾燥させる構成とすることができる。
【００４３】
描画部の前段に処理液の乾燥部を具備する構成は、処理液を乾燥させた際に発生する湿気が描画部に結露を生じさせる要因の一つとなるが、第１５態様によれば、処理液を乾燥させた際に発生する湿気を機外に排出することができる。このため、結露の発生を抑制する効果がある。
【００４４】
第１６態様の記録媒体搬送装置は、記録媒体に画像を形成する描画部に隣接する乾燥部であって、ヒータとファンとの組み合わせにより構成される熱風ユニットを有する乾燥部と、ヒータ及びファンを制御する制御部と、熱風ユニットに対向して乾燥部における記録媒体の搬送路に沿って設置され、搬送中の記録媒体をガイドするガイド部材と、を備え、ガイド部材は、熱風ユニットから出された熱風をガイド部材の重力方向下側の下部領域へと逃がす開口部又は開閉機構を有し、ガイド部材の下部領域に、開口部又は開閉機構を通じて下部領域に流れた熱風を機外へ排出する排気機構が設けられ、制御部は、ヒータによる加熱を停止させ、かつ、ヒータの非加熱状態でファンによる送風を実施することにより、描画部を冷やす冷却制御を行う、記録媒体搬送装置である。
【００４５】
第１６態様の記録媒体搬送装置について、第２態様から第１５態様で特定した事項を適宜組み合わせることができる。
【発明の効果】
【００４６】
本発明によれば、熱風を出す乾燥部の影響による描画部の温度上昇を効果的に抑制することができる。このため、描画部の温度上昇に起因する画像不良等の発生を抑制することができる。
【図面の簡単な説明】
【００４７】
【図１】図１は第１実施形態に係る印刷装置の一例としてのインクジェット記録装置の全体構成を示した概略構成図である。
【図２】図２は処理液乾燥部の部分を拡大して示した断面図である。
【図３】図３は熱風ユニットの外観を示す斜視図である。
【図４】図４は図３における側面板の一部を取り外した図である。
【図５】図５はガイド部材の構成例を示す斜視図である。
【図６】図６はガイド部材のガイド面の平面展開図である。
【図７】図７（Ａ）（Ｂ）はガイド部材に設ける開閉機構の模式図であり、図７（Ａ）は開状態を示し、図７（Ｂ）は閉状態を示す図である。
【図８】図８は排気ダクトの例を示す斜視図である。
【図９】図９は温度センサの設置場所に関する他の例を示した要部構成図である。
【図１０】図１０はインクジェット記録装置の制御系の概略構成を示すブロック図である。
【図１１】図１１はインクジェット記録装置における描画部の温度上昇を抑制する制御に関する要部ブロック図である。
【図１２】図１２は熱風ユニットのヒータとファン並びに排気ファンと吸気ファンの各要素について、印刷状態と、冷却処理中の状態と、印刷可能状態である印刷待機状態とのそれぞれの状態で制御されるＯＮ／ＯＦＦの状況をまとめた図表である。
【図１３】図１３は描画部の温度上昇を抑制する制御の例を示したフローチャートである。
【図１４】図１４は冷却処理の内容を示したフローチャートである。
【図１５】図１５は第２実施形態に係るインクジェット記録装置の要部構成図である。
【発明を実施するための形態】
【００４８】
以下、添付図面に従って本発明の好ましい実施の形態について詳説する。
【００４９】
＜インクジェット記録装置の構成例＞
図１は第１実施形態に係る印刷装置の一例としてのインクジェット記録装置の全体構成を示した概略構成図である。本例のインクジェット記録装置１０は、記録媒体としての枚葉紙（以下「用紙Ｐ」という。）にインクジェット方式でカラー画像を形成する印刷装置である。インクジェット記録装置１０は、給紙部１２と、処理液付与部１４と、処理液乾燥部１６と、描画部１８と、後処理部２０と、排紙部２２とを備える。
【００５０】
〈給紙部〉
給紙部１２は、給紙台３０と、給紙装置３２と、給紙ローラ対３４と、フィーダボード３６と、前当て３８と、給紙胴４０とを備えて構成される。給紙台３０は、用紙Ｐを載せる台である。用紙Ｐは多数枚が積層された束（用紙束）の状態で給紙台３０に載置される。給紙台３０は、図示せぬ給紙台昇降装置を備えている。給紙台昇降装置は、給紙台３０に置かれた用紙Ｐの増減に連動して給紙台３０を昇降させる装置であり、給紙台３０に載置された用紙束の最上位に位置する用紙Ｐを常に一定の高さの位置に位置させるための装置である。
【００５１】
給紙装置３２は、給紙台３０に積載されている用紙Ｐを上から順に、１枚ずつ吸着保持して取り上げて、給紙ローラ対３４に給紙する。
【００５２】
給紙ローラ対３４は、給紙装置３２から給紙された用紙Ｐをフィーダボード３６に向けて送り出す。フィーダボード３６は、給紙ローラ対３４から送り出された用紙Ｐを受け、給紙胴４０に向けて搬送する。前当て３８は、フィーダボード３６の終端位置に備えられ、フィーダボード３６によって搬送されてくる用紙Ｐの姿勢を矯正する。
【００５３】
給紙胴４０は、前当て３８によって姿勢が矯正された用紙Ｐをフィーダボード３６から受け取り、処理液付与部１４へと搬送する。給紙胴４０は、グリッパ４０Ａを備え、このグリッパ４０Ａによって用紙Ｐの先端部を把持して回転することにより、用紙Ｐを処理液付与部１４へと搬送する。こうして、用紙Ｐは給紙部１２によって１枚ずつ処理液付与部１４に供給される。
【００５４】
〈処理液付与部〉
処理液付与部１４は、用紙Ｐに処理液を塗布する。本例の処理液は、インク中の色材成分を凝集させる機能を有する液体である。処理液は、描画部１８で付与されるインク組成物中の成分を凝集させる凝集剤を含む。処理液とインクとが接触することによりインクと凝集反応を起こし、インクは色材と溶媒との分離が促進され、インク着弾後の滲みや着弾干渉、或いは混色が抑制され、高品位画像の形成が可能となる。処理液は「凝集処理液」、「前処理液」、「プレコート液」という用語で呼ばれる場合がある。インク組成物とともに処理液を用いることで、インクジェット記録を高速化でき、高速記録しても濃度、解像度の高い描画性（例えば、細線や微細部分の再現性）に優れた画像が得られる。
【００５５】
処理液付与部１４は、処理液付与胴４２と、処理液塗布装置４４とを備える。処理液付与胴４２は、給紙胴４０から用紙Ｐを受け取り、用紙Ｐを搬送する。処理液付与胴４２はグリッパ４２Ａを備え、このグリッパ４２Ａによって用紙Ｐの先端部を把持して回転する。用紙Ｐは、グリッパ４２Ａによって先端部が把持された状態で処理液付与胴４２の周面に巻き掛けられて保持され、処理液付与胴４２の回転によって搬送される。
【００５６】
処理液付与胴４２に保持された状態の用紙Ｐにおける処理液付与胴４２の径方向外側に面して露出する用紙面が記録面となる。説明の便宜上、用紙Ｐの記録面側を「おもて面」といい、記録面と反対側の面を「裏面」という。本例の場合、処理液付与胴４２に保持された状態の用紙Ｐにおける処理液付与胴４２の径方向内側に面して処理液付与胴４２に接触する用紙面が「裏面」である。
【００５７】
処理液塗布装置４４は、処理液付与胴４２によって搬送される用紙Ｐに処理液を塗布する手段である。処理液塗布装置４４は、処理液付与胴４２の外側において、処理液付与胴４２の周面に対向して設けられる。本例の処理液塗布装置４４は、ローラ塗布方式による塗布装置であり、容器４４Ａ内に貯留された処理液に供給ローラ４４Ｂの一部が浸漬され、供給ローラ４４Ｂで計量した処理液をゴムローラなどの塗布ローラ４４Ｃによって処理液付与胴４２上の用紙Ｐに転移する構成となっている。処理液付与胴４２の回転に伴って用紙Ｐが搬送される過程で、用紙Ｐの記録面に塗布ローラ４４Ｃが押圧当接され、用紙Ｐに処理液が塗布される。
【００５８】
用紙Ｐに処理液を付与する手段は、ローラ塗布方式に限らず、スプレー方式、インクジェット方式などの各種方式を適用することが可能である。処理液付与部１４により処理液が付与された用紙Ｐは、処理液付与胴４２から処理液乾燥胴４６へと受け渡される。
【００５９】
〈処理液乾燥部〉
処理液乾燥部１６は、処理液付与部１４によって処理液が塗布された用紙Ｐを搬送し、かつ、当該用紙Ｐの処理液を乾燥させる処理を行う。処理液乾燥部１６は、用紙搬送手段としての処理液乾燥胴４６と、搬送中の用紙Ｐをガイドするガイド部材４８と、熱風ユニット５０と、排気ダクト５１と、を備えて構成される。
【００６０】
処理液乾燥胴４６は、処理液付与胴４２から用紙Ｐを受け取り、当該用紙Ｐを描画胴５２へと用紙Ｐを受け渡す中間搬送部の役割を果たす「渡し胴」として機能する。なお、処理液乾燥部１６は、「渡し胴乾燥部」という用語や、「プレコート乾燥部」という用語で表すことができる。また、処理液乾燥胴４６のことを「プレコート乾燥胴」という用語で表すことができる。
【００６１】
処理液乾燥胴４６は、グリッパ４６Ａを備え、このグリッパ４６Ａによって用紙Ｐの先端部を把持して回転することにより、用紙Ｐを搬送する。処理液乾燥胴４６は図１において時計回りに回転する。
【００６２】
ガイド部材４８は、処理液乾燥胴４６による用紙搬送を補助する用紙搬送ガイドとして機能する。ガイド部材４８は、処理液乾燥胴４６の下方に設置される。ガイド部材４８の処理液乾燥胴４６に対面する側の面が「ガイド面」に相当する。ガイド部材４８の構成について詳細は後述するが、ガイド部材４８は、熱風ユニット５０から吹き出される風をガイド面と反対側の下部領域へと通過させる通気用の貫通孔を有する。
【００６３】
熱風ユニット５０は、処理液乾燥胴４６の内側に設置され、ガイド部材４８に向かって熱風又は非加熱風を選択的に吹き出すことができる装置である。本例の処理液乾燥胴４６は、２台の熱風ユニット５０を備えている。熱風ユニット５０の台数はこの例に限定されず、少なくとも１台備えていればよい。熱風ユニット５０の構成について詳細は後述する。
【００６４】
印刷中は処理液乾燥胴４６により搬送される用紙Ｐの記録面に向けて熱風ユニット５０から熱風が吹き出される。処理液乾燥胴４６によって用紙Ｐが搬送される過程で、熱風ユニット５０から吹き出される熱風が用紙Ｐの記録面に当り、処理液の乾燥処理が行われる。この乾燥処理により、用紙Ｐの記録面にインク凝集作用を持つインク凝集層が形成される。
【００６５】
排気ダクト５１は、ガイド部材４８のガイド面と反対側の重力方向下側の下部領域に設置される。排気ダクト５１は、ガイド部材４８の下部領域に移動した加熱空気を回収し、加熱空気を機外に排出する排気機構である。排気ダクト５１は、図１に示されていない排気装置に接続されている。
【００６６】
インクジェット記録装置１０は、機外から新鮮な空気を機内へ取り込むための吸気部４７を備え、吸気部４７には吸気ファン４９が設置されている。吸気ファン４９を駆動することにより、吸気部４７を通じて機外から新鮮風が機内へと導入される。吸気部４７を通じて機外から機内へ取り込まれる空気は、機外から機内へ取り込まれる「気体」の一形態である。
【００６７】
〈描画部〉
描画部１８は、描画胴５２と、用紙押さえローラ５４と、インクジェットヘッド５６Ｍ、５６Ｋ、５６Ｃ、５６Ｙと、画像読取部６０とを備える。描画胴５２は、処理液乾燥胴４６から用紙Ｐを受け取り、用紙Ｐを搬送する。描画胴５２は、グリッパ５２Ａを備え、このグリッパ５２Ａによって用紙Ｐの先端を把持して回転することにより、用紙Ｐを周面に巻き掛けて用紙Ｐを搬送する。描画胴５２は図１において反時計回り方向に回転する。描画胴５２は、周面に複数の吸着孔（不図示）を有し、吸着孔から用紙Ｐを吸引して、周面に用紙Ｐを吸着保持する。
【００６８】
用紙押さえローラ５４は、処理液乾燥胴４６から描画胴５２に受け渡された用紙Ｐの表面を押圧して、用紙Ｐを描画胴５２の周面に押し付ける。これにより、用紙Ｐが描画胴５２の周面に密着する。用紙押さえローラ５４と負圧を利用した吸着保持によって用紙Ｐを描画胴５２の周面に密着させることができる。
【００６９】
インクジェットヘッド５６Ｍは、マゼンタ（Ｍ）のインクを吐出する記録ヘッドである。インクジェットヘッド５６Ｋは、ブラック（Ｋ）のインクを吐出する記録ヘッドである。インクジェットヘッド５６Ｃは、シアン（Ｃ）のインクを吐出する記録ヘッドであり、インクジェットヘッド５６Ｙは、イエロー（Ｙ）のインクを吐出する記録ヘッドである。
【００７０】
インクジェットヘッド５６Ｍ、５６Ｋ、５６Ｃ、５６Ｙは、用紙Ｐの幅に相当するライン型のヘッド（ラインヘッド）で構成される。各インクジェットヘッド５６Ｍ、５６Ｋ、５６Ｃ、５６Ｙのインク吐出面には、画像形成領域の全幅にわたってインク吐出用の複数ノズルが配列されている。各インクジェットヘッド５６Ｍ、５６Ｋ、５６Ｃ、５６Ｙは、用紙Ｐの搬送経路に沿って一定の間隔で配置され、それぞれ用紙Ｐの搬送方向に対して直交して配置される。
【００７１】
なお、本実施形態のインクジェット記録装置１０では、用紙Ｐが描画胴５２によって回転搬送されるため、各インクジェットヘッド５６Ｍ、５６Ｋ、５６Ｃ、５６Ｙは、描画胴５２の周囲に傾斜して配置される。このため、各インクジェットヘッド５６Ｍ、５６Ｋ、５６Ｃ、５６Ｙは、それぞれのインク吐出面が水平面に対して傾斜した状態で配置される。
【００７２】
インクジェットヘッド５６Ｍ、５６Ｋ、５６Ｃ、５６Ｙの詳細な構造は図示しないが、それぞれのヘッドは、各ノズルに対応してインク吐出に必要な吐出エネルギーを発生させる吐出エネルギー発生素子（例えば、圧電素子や発熱素子）を備えている。
【００７３】
各ヘッドにおけるノズル数やノズル密度、ノズルの配列形態は特に限定されず、様々な形態があり得る。例えば、用紙Ｐの搬送方向と直交する用紙幅方向である主走査方向について所定の記録解像度を実現できるように、多数のノズルがインク吐出面（ノズル面）に二次元的に配列された構成とすることができる。
【００７４】
用紙Ｐは、描画胴５２によって搬送される過程でインクジェットヘッド５６Ｃ、５６Ｍ、５６Ｙ、５６Ｋからインクが打滴されて、用紙Ｐ上に画像が記録される。描画胴５２の回転によって用紙Ｐを一定の速度で搬送し、この搬送方向について、用紙Ｐと各インクジェットヘッド５６Ｍ、５６Ｋ、５６Ｃ、５６Ｙを相対的に移動させる動作を１回行うだけで、すなわち１回の副走査で、用紙Ｐの画像形成領域に画像を記録することができる。
【００７５】
本例では、ＣＭＹＫの４色のインクを用いるインクジェット記録装置１０を例示しているが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００７６】
画像読取部６０は、インクジェットヘッド５６Ｍ、５６Ｋ、５６Ｃ、５６Ｙによって用紙Ｐに記録された画像を読み取る。「用紙Ｐに記録された画像」としては、印刷ジョブで指定される印刷画像の他、濃度測定用テストチャートや不良ノズル検出用テストチャート、不吐出補正用テストチャートその他の各種テストチャートなども含まれる。
【００７７】
画像読取部６０は、描画部１８によって記録が行われた用紙Ｐを搬送する過程で用紙Ｐ上の画像を読み取ることができるインラインセンサである。画像読取部６０には、ＣＣＤラインセンサなどの撮像素子が用いられる。画像読取部６０によって読み取られた読取画像に基づいて、不吐出や吐出方向不良などの吐出不良が検出される。インクジェットヘッド５６Ｍ、５６Ｋ、５６Ｃ、５６Ｙの吐出状態は、画像読取部６０で読み取った読取画像に基づいて検出される。
【００７８】
〈後処理部〉
後処理部２０は、画像が記録された用紙Ｐのインク乾燥処理を行う。後処理部２０は、用紙Ｐを搬送するチェーングリッパ６４と、インク乾燥部２１とを備えて構成される。
【００７９】
チェーングリッパ６４は、無端状のチェーン６４Ａと、グリッパ６４Ｂとを有し、描画部１８から用紙Ｐを受け取り、所定の搬送経路に沿って用紙Ｐを排紙部２２へと搬送する。チェーン６４Ａは、第１スプロケット６４Ｃと第２スプロケット６４Ｄに巻き掛られている。第１スプロケット６４Ｃと第２スプロケット６４Ｄの間には、チェーン６４Ａの走行をガイドする複数のチェーンガイド（不図示）が設けられている。
【００８０】
チェーン６４Ａ、第１スプロケット６４Ｃ、第２スプロケット６４Ｄ、及びチェーンガイド（不図示）は、それぞれ一対で構成され、用紙Ｐの搬送経路の両側、すなわち、用紙搬送方向に直交する用紙幅方向における用紙Ｐの両側に配設される。
【００８１】
グリッパ６４Ｂは、一対のチェーン６４Ａの間に掛け渡されたバー（不図示）に取り付けられている。グリッパ６４Ｂを備えたバーは、チェーン６４Ａの送り方向に一定の間隔でチェーン６４Ａの複数箇所に取り付けられている。
【００８２】
グリッパ６４Ｂは、描画胴５２のグリッパ５２Ａから用紙Ｐが受け渡される位置で用紙Ｐの先端部を把持する。第１スプロケット６４Ｃに連結されたモータ（不図示）を駆動することによってチェーン６４Ａが走行し、グリッパ６４Ｂに把持された用紙Ｐが搬送される。
【００８３】
チェーングリッパ６４による用紙Ｐの搬送経路は、描画胴５２から排紙部２２へと向かう用紙搬送方向の上流側から、平坦な第１区間と、登り勾配を有する第２区間と、平坦な第３区間と、を含んでいる。描画胴５２から受け渡された用紙Ｐは、チェーングリッパ６４の第１区間、第２区間、第３区間を通って、排紙部２２へと搬送される。
【００８４】
第１区間及び第２区間には、用紙Ｐの搬送をガイドするガイドプレート７２が配設される。ガイドプレート７２は、用紙Ｐの裏面に接するガイド面に多数の吸着孔（不図示）を有し、吸着孔から用紙Ｐを吸引する。これにより、チェーングリッパ６４によってガイドプレート７２上を搬送される用紙Ｐに張力（バックテンション）が付与される。
【００８５】
インク乾燥部２１は、チェーングリッパ６４の第１区間に設置される。インク乾燥部２１は、描画部１８による画像形成後の用紙Ｐを加熱して乾燥させ、用紙Ｐの表面に残存する液体成分を除去する。インク乾燥部２１は、熱風を吹き出す加熱乾燥ユニット６８を備える。加熱乾燥ユニット６８の詳細な構成は図示しないが、加熱乾燥ユニット６８は、ヒータとファンを組み合わせて構成することができる。加熱乾燥ユニット６８は、ファンの送風断面内にヒータを設置した構成であってもよいし、用紙搬送方向に沿ってヒータとファンを交互に並べるなど、用紙搬送方向のヒータ位置と用紙搬送方向のファン位置とが異なる構成であってもよい。
【００８６】
加熱乾燥ユニット６８は、チェーングリッパ６４による用紙搬送部の内側に設置され、第１区間を搬送される用紙Ｐに熱風を供給し、乾燥を促進する。なお、第１区間のインク乾燥部２１に加えて、第２区間にインク乾燥部（不図示）を設置する形態も可能である。また、紫外線硬化型のインクを使用する装置構成の場合、加熱乾燥ユニット６８に代えて、又は、これと組み合わせて、紫外線照射ユニットを備える形態も可能である。
【００８７】
〈排紙部〉
排紙部２２は、画像が形成された用紙Ｐを回収する。排紙部２２は、用紙Ｐを積み重ねて回収する排紙台７６を備える。グリッパ６４Ｂは、排紙台７６の上で用紙Ｐの把持を解除し、排紙台７６の上に用紙Ｐをスタックさせる。排紙台７６には、グリッパ６４Ｂから解放された用紙Ｐが整然と積み重ねられるように、用紙Ｐの積み重ね位置を規制するための用紙当て（不図示）が備えられる。用紙当てには、前用紙当て、後用紙当て、横用紙当てのうち少なくとも一つが含まれる。また、排紙台７６には、図示しない排紙台昇降装置が備えられ、最上位に位置する用紙Ｐが常に一定の高さに位置するように高さ調整される。
【００８８】
<外装パネルについて>
インクジェット記録装置１０の外観は、概ね全体的に外装パネル８０で覆われている。図１で説明した装置構成要素のうち、少なくとも、処理液付与部１４、処理液乾燥部１６、描画部１８、後処理部２０の周囲は、外装パネル８０で覆われる構成が好ましい。給紙台３０や排紙台７６など一部の要素に関しては、用紙Ｐの出し入れの作業性などの観点から、外装パネルを省略する形態が可能である。
【００８９】
外装パネル８０は、複数のパーツに分割された構成とすることができる。外装パネル８０の分割形態や分割数について特に制限はなく、様々な設計が可能である。外装パネル８０によって囲われている装置の内側の空間が「機内」、外装パネル８０の外側の空間が「機外」に相当する。
【００９０】
＜処理液乾燥部の詳細＞
図２は処理液乾燥部１６の部分を拡大して示した断面図である。図２は処理液乾燥胴４６の回転軸４６Ｃに垂直な面で切断した切断面を示す。
【００９１】
処理液乾燥胴４６は、回転軸４６Ｃを挟んで１８０度対向する位置にグリッパ４６Ａを具備する。グリッパ４６Ａは、用紙Ｐ（図２中不図示）の先端を掴んで、図２の時計回りに回転する。グリッパ４６Ａに把持された用紙Ｐ（図２中不図示）は、ガイド部材４８と処理液乾燥胴４６との隙間に形成される用紙搬送路を通って描画胴５２へと搬送される。描画胴５２が「第１搬送部」の一形態に相当し、処理液乾燥胴４６が「第２搬送部」の一形態に相当する。
【００９２】
処理液乾燥胴４６は外周面が開口しており、処理液乾燥胴４６の内側に、２台の熱風ユニット５０が配置されている。２台の熱風ユニット５０は、ユニットフレーム９２に固定されている。ユニットフレーム９２は、処理液乾燥胴４６の回転に対して非追従の構造で支持されており、処理液乾燥胴４６が回転してもユニットフレーム９２は回転せずに、熱風ユニット５０を固定位置で保持することができる。
【００９３】
熱風ユニット５０は、ヒータ９４とファン９６とが組み合わされた構成となっている。ヒータ９４はファン９６から見て送風方向下流側で、かつファン９６の送風軸に直交する気流断面と重なる位置に設置されている。熱風ユニット５０は、ヒータ９４をＯＮした状態でファン９６を駆動することにより、送風口９８から熱風を吹き出すことができる。熱風の温度と風量は、ヒータ９４の温度設定と、ファン９６の駆動デューティとの組み合わせによって制御される。ヒータ９４の加熱温度は、ヒータ９４に供給する電圧と電流によって調整することができる。また、熱風ユニット５０は、ヒータ９４をＯＦＦした状態でファン９６を駆動することにより、送風口９８から非加熱風を吹き出すことができる。なお、ヒータ９４をＯＮした状態がヒータ９４の加熱状態であり、ヒータ９４をＯＦＦした状態がヒータ９４の非加熱状態である。
【００９４】
熱風ユニット５０の送風口９８は、ガイド部材４８と対面する方向に開口しており、処理液乾燥胴４６の回転軸４６Ｃから真下の重力方向に向かう鉛直線に対して斜め方向の下方に向かって熱風又は非加熱風を吹き出す。
【００９５】
２台の熱風ユニット５０のうち、処理液付与胴４２に近い側に設置されている熱風ユニット５０を「上流側の熱風ユニット５０」と呼び、描画胴５２に近い側に設置されている熱風ユニット５０を「下流側の熱風ユニット５０」と呼ぶことにする。上流側の熱風ユニット５０の送風口９８は、図２において概ね「４時」の方向に向いている。下流側の熱風ユニット５０の送風口９８は、図２において概ね「８時」の方向に向いている。ただし、各熱風ユニット５０の送風方向については、この例に限定されない。
【００９６】
ユニットフレーム９２には、熱風ユニット５０の他に、温度センサ１００とファン１０２が取り付けられている。温度センサ１００は、描画胴５２の温度を検出する手段であり、「温度検出部」の一形態である。温度センサ１００として、放射温度計を用いることができる。温度センサ１００によって描画部５２の温度が測定される。温度センサ１００は描画胴５２の温度を検出するという目的を達成できる範囲で他の場所に設置することができる。ファン１０２は、ユニットフレーム９２の外側から、ユニットフレーム９２の内側に向かって空気を取り込む気流を発生させる。
【００９７】
また、処理液乾燥部１６の上部を覆う天面外装パネル８１の一部に、吸気部４７が設けられている。吸気部４７には吸気ファン４９が取り付けられている。吸気ファン４９は、機外から機内に向かって空気を取り込む気流を発生させる。吸気ファン４９を具備した吸気部４７と、ガイド部材４８の裏側に設置される排気ダクト５１との間に、熱風ユニット５０のファン９６が配置される構成とし、吸気部４７と、ファン９６と、排気ダクト５１との三者が概ね直線上に並ぶ配置形態とすることが好ましい。
【００９８】
このような構成により、処理液乾燥部１６内の加熱空気をガイド部材４８の外側に排出しやすいものとなる。
【００９９】
＜熱風ユニット５０の構成例＞
図３は熱風ユニット５０の外観を示す斜視図であり、図４は図３における側面板の一部を取り外した図である。これらの図面に示されているように、熱風ユニット５０は、ファン９６と、ヒータ９４と、側面板１１０、１１２とを備えている。ファン９６は軸流ファンである。熱風ユニット５０は、図２で説明した処理液乾燥胴４６の回転軸４６Ｃの方向に沿って複数個のファン９６が並んで配置されている。図３及び図４では９個のファン９６を一列に並べた構成を例示しているが、ファン９６の個数や配列形態についてはこの例に限定されない。
【０１００】
ヒータ９４には、抵抗線ヒータを用いることができる。ヒータ９４は円柱形状を有し（図４参照）、ファン９６の並び方向である長手方向と平行に設置される。
【０１０１】
側面板１１０、１１２は、熱風ユニット５０の長手方向に沿った側面を覆う部材である。二枚の側面板１１０、１１２が囲われる空間の内側にヒータ９４が収容される。側面板１１０、１１２の下端部に送風口９８となる矩形スリット状の送風ノズル開口が形成される。
【０１０２】
＜ガイド部材４８の構成例＞
図５はガイド部材４８の構成例を示す斜視図である。図５では、図２で説明した下流側の熱風ユニット５０に対面するガイド部材４８の一部を示した。
【０１０３】
ガイド部材４８は、用紙Ｐ（図５中不図示）の搬送を補助するガイド面１２０を有する。ガイド部材４８には、通気用の開口部１２２と、通気孔１２４が形成されている。開口部１２２と通気孔１２４は、熱風ユニット５０（図５中不図示）から吹き出される風を、ガイド部材４８のガイド面１２０よりも重力方向下側の下部領域へと逃がすための貫通孔となっている。
【０１０４】
開口部１２２は、熱風ユニット５０（図５中不図示）の送風口９８と対面する対向位置に形成されている。すなわち、開口部１２２は、図２で説明した熱風ユニット５０のファン９６と排気ダクト５１の間に配置される。また、図５に示したように、通気孔１２４は、ガイド部材４８のガイド面１２０に複数個形成される。複数個の通気孔１２４は、規則的な配列パターンで配列されている。複数の通気孔１２４の一部又は全部について、回転体部材１２６が設けられている。回転体部材１２６は、用紙搬送方向に直交する用紙幅方向と平行な軸を回転軸として回転する。回転体部材１２６の一部は通気孔１２４からガイド面１２０よりも上方に出ている。
【０１０５】
図２で説明した熱風ユニット５０の送風口９８から吹き付けられる風によって用紙Ｐがガイド部材４８に押し付けられた場合でも、回転体部材１２６が用紙Ｐの搬送に伴って回転することにより、用紙Ｐが円滑に搬送され、用紙Ｐの裏面の損傷を防止することができる。なお、回転体部材１２６として、球形のベアリング等を用いることもできる。
【０１０６】
ガイド部材４８のガイド面１２０の反対側、すなわち、ガイド部材４８の下方には、排気ダクト５１と、排気ダクト５１の周囲を囲う回収ダクト１３０とが設置される。回収ダクト１３０は、開口部１２２及び通気孔１２４を通してガイド面１２０の裏側へと移動した空気を収容する空間となる回収空気室を形成する。
【０１０７】
排気ダクト５１は回収ダクト１３０に連結されている。ガイド部材４８の開口部１２２又は通気孔１２４を介して回収ダクト１３０の内部に流入した空気は、排気ダクト５１を介して機外へ排気される。排気ダクト５１は「排気機構」の一形態に相当する。
【０１０８】
図６はガイド部材４８のガイド面１２０の平面展開図である。図６では図５で説明した回転体部材１２６の記載を省略した。図６の縦方向が用紙搬送方向であり、横方向が用紙幅方向である。用紙搬送方向をＹ方向、用紙幅方向をＸ方向として図示した。Ｘ方向が主走査方向に相当し、Ｙ方向が副走査方向に相当する。
【０１０９】
図６において破線で示した矩形領域は、図２から図４で説明した熱風ユニット５０の送風口９８を投影した領域である。ガイド部材４８における開口部１２２は、熱風ユニット５０の送風口９８と対向する位置に形成される。開口部１２２のＹ方向幅Ｌ１は、送風口９８のＹ方向幅Ｌ２以上であり、かつ、印刷可能な最小用紙サイズ未満であることが好ましい。また、開口部１２２のＸ方向の全幅Ｗ１は、送風口９８のＸ方向幅Ｗ２以上であることが好ましい。図６の例では、複数の開口部１２２がＸ方向に並んで配置され、隣り合う開口部１２２の間に非開口領域１２３を有しているが、非開口領域１２３を省略して、単一の開口部を形成することも可能である。
【０１１０】
図６のように、Ｘ方向に沿って複数の開口部１２２を有する場合のＷ１は、複数の開口部１２２の集合による領域についてのＸ方向の一方の端から他方の端までの寸法を意味する。
【０１１１】
開口部１２２の上に用紙Ｐが存在する場合には、送風口９８から吹き出された熱風が用紙Ｐの記録面に当たる。開口部１２２の上に用紙Ｐが存在しない場合には、送風口９８から吹き出された熱風が開口部１２２を通ってガイド面１２０の裏側の下部領域へと逃げる。
【０１１２】
通気孔１２４についても同様であり、通気孔１２４の上に用紙Ｐが存在しない場合に、熱風は通気孔１２４を通ってガイド面１２０の裏側の下部領域へと逃げる。ガイド面１２０における開口部１２２や通気孔１２４の開口率を高める構成とすることにより、排気効率を一層高めることができる。
【０１１３】
＜開口部１２２の代替構造について＞
ガイド部材４８に常時開口した開口部１２２を設ける形態に代えて、開閉機構を採用する形態も可能である。図７（Ａ）（Ｂ）はガイド部材４８に設ける開閉機構１４０の模式図である。図７（Ａ）は開閉機構１４０における開状態を示し、図７（Ｂ）は開閉機構１４０における閉状態を示している。図５及び図６で説明した開口部１２２の部分に図７（Ａ）（Ｂ）に示す開閉機構１４０を採用することができる。
【０１１４】
開閉機構１４０は、ガイド部材４８におけるガイド面１２０の一部に形成された通気用開口部１４２を閉ざす可動部１４４を有する。可動部１４４は、回転軸１４６を中心に回転可能に支持されている。可動部１４４は、図２で説明した熱風ユニット５０から吹き出される風の力によって、図７（Ａ）に示すように、押し下げられ、通気用開口部１４２が開状態となる。
【０１１５】
可動部１４４は、図示せぬ弾性部材によって、通気用開口部１４２を閉ざす方向に付勢されている。このため、通気用開口部１４２の上に用紙Ｐが存在して、熱風ユニット５０からの風の力が可動部１４４に作用しない状態になると、弾性部材（不図示）の付勢力によって、図７（Ｂ）に示したように、閉状態となる。
【０１１６】
このように熱風ユニット５０からの風の力で押し開けられる開閉機構１４０を備える形態とすることができる。
【０１１７】
＜排気ダクト５１について＞
図８は排気ダクト５１の例を示す斜視図である。図８に例示した排気ダクト５１は、周面の上部に複数の吸気口１５２を有する。吸気口１５２は、図２で説明した処理液乾燥胴４６に向かって開口している。図８に示すように、これらの吸気口１５２を通じて排気ダクト５１の内部に空気が取り込まれる。排気ダクト５１は、図５で説明した回収ダクト１３０の内側に設置される。なお、回収ダクト１３０を省略して、排気ダクト５１の吸気口１５２から直接、排気ダクト５１内に空気を回収する形態とすることも可能である。
【０１１８】
排気ダクト５１の形態については、様々な設計が可能である。図８で例示した形態に代えて、単純な筒形状のものでもよい。
【０１１９】
図５から図８で説明した排気用の構造と同様の構造を、上流側の熱風ユニット５０に対する排気用の構造として採用することが可能である。
【０１２０】
＜温度センサ１００の設置場所に関する他の例＞
図９は温度センサ１００の設置場所に関する他の例を示した要部構成図である。図９において、図１及び図２で説明した構成と同一又は類似の要素には同一の部材を付し、その説明は省略する。
【０１２１】
図９に示す例では、描画胴５２の温度を測定するための温度センサ１００が描画胴５２の下方に設置されている。処理液乾燥部１６からの熱の影響による描画胴５２の温度変化を早期に把握するために、描画胴５２における処理液乾燥胴４６に近い側の温度を測定する構成が好ましい。
【０１２２】
＜制御系の説明＞
図１０はインクジェット記録装置１０の制御系の概略構成を示すブロック図である。同図に示すように、インクジェット記録装置１０は、システムコントローラ２００、通信部２０２、画像メモリ２０４、給紙制御部２１０、搬送制御部２１２、処理液付与制御部２１４、処理液乾燥制御部２１６、画像形成制御部２１８、インク乾燥制御部２２０、排紙制御部２２４、操作部２３０、表示部２３２、パラメータ記憶部２３４、プログラム格納部２３６を備える。
【０１２３】
システムコントローラ２００は、インクジェット記録装置１０の各部を統括制御する制御手段として機能し、かつ、各種演算処理を行う演算手段として機能する。システムコントローラ２００は、ＣＰＵ（Central Processing Unit）２００Ａ及び、ＲＯＭ（Read Only Memory）２００Ｂ、ＲＡＭ（Random Access Memory）２００Ｃを内蔵している。なお、ＲＯＭ２００Ｂ、ＲＡＭ２００Ｃ等のメモリは、システムコントローラ２００の外部に設けられていてもよい。
【０１２４】
通信部２０２は、所要の通信プロトコルに対応した通信インターフェースを備える。インクジェット記録装置１０は、通信部２０２を通じて接続されたホストコンピュータ３００との間でデータの送受信を行うことができる。通信部２０２による通信方法は、有線、無線を問わない。
【０１２５】
画像メモリ２０４は、画像データを含む各種データの一時記憶手段として機能し、システムコントローラ２００を通じてデータの読み書きが行われる。通信部２０２を介してホストコンピュータ３００から取り込まれた画像データは、一旦画像メモリ２０４に格納される。
【０１２６】
給紙制御部２１０は、システムコントローラ２００からの指令に応じて、給紙部１２の各部の動作を制御する。「給紙部１２の各部の動作」には、図１で説明した給紙装置３２の動作、給紙ローラ対３４の駆動、フィーダボード３６の駆動等が含まれる。
【０１２７】
図１０の搬送制御部２１２は、インクジェット記録装置１０における用紙Ｐの搬送系２４０の動作を制御する。搬送系２４０には、図１で説明した給紙胴４０、処理液付与胴４２、処理液乾燥胴４６、描画胴５２、チェーングリッパ６４が含まれ、これらを駆動するための動力源となるモータが含まれる。
【０１２８】
図１０の処理液付与制御部２１４は、システムコントローラ２００からの指令に応じて、処理液付与部１４における処理液の付与動作を制御する。処理液の付与動作の制御には、図１で説明した処理液塗布装置４４による処理液の付与量や付与タイミング等の制御が含まれる。
【０１２９】
図１０の処理液乾燥制御部２１６は、システムコントローラ２００からの指令に応じて、処理液乾燥部１６の各部の動作を制御する。すなわち、処理液乾燥制御部２１６は、図２−６で説明した熱風ユニット５０のヒータ９４とファン９６の駆動を制御し、乾燥温度、送風気体の送風量、送風のタイミングなど、処理液乾燥部１６の動作を制御する。
【０１３０】
図１０の画像形成制御部２１８は、システムコントローラ２００からの指令に応じて、各インクジェットヘッド５６Ｍ，５６Ｋ，５６Ｃ，５６Ｙのインク吐出動作を制御し、用紙Ｐ上への画像形成の動作を制御する。
【０１３１】
画像形成制御部２１８は、画像処理部２５２と、波形生成部２５４と、ヘッド駆動回路２５６とを含んで構成される。画像処理部２５２は、入力画像データから印刷用のドットデータを生成する。画像処理部２５２は、印刷画像の内容を規定した連続調画像のデータに対して、色変換処理、階調変換処理、ムラ補正等の補正処理、ハーフトーン処理などの各種処理を行う処理部が含まれる。
【０１３２】
波形生成部２５４は、インクジェットヘッド５６Ｍ，５６Ｋ，５６Ｃ，５６Ｙの吐出エネルギー発生素子を動作させるための駆動電圧の波形を生成する。波形生成部２５４には、駆動波形のデータを記録する波形記憶部（不図示）が含まれる。
【０１３３】
ヘッド駆動回路２５６は、各インクジェットヘッド５６Ｍ，５６Ｋ，５６Ｃ，５６Ｙに対して、吐出駆動用の駆動電圧と、ドットデータに応じた吐出制御信号とを生成する。
【０１３４】
画像処理部２５２による処理を経て生成されたドットデータに基づいて、各画素位置の打滴タイミングやインク打滴量が決められ、各画素位置の打滴タイミングを示す吐出制御信号と、インク打滴量に応じた駆動電圧が決定される。
【０１３５】
ヘッド駆動回路２５６によって生成される駆動電圧と吐出制御信号がインクジェットヘッド５６Ｍ，５６Ｋ，５６Ｃ，５６Ｙへ供給され、インクジェットヘッド５６Ｍ，５６Ｋ，５６Ｃ，５６Ｙの吐出液滴量（打滴量）や、吐出タイミングの制御が行われる。
【０１３６】
インクジェットヘッド５６Ｍ，５６Ｋ，５６Ｃ，５６Ｙから打滴されたインク液滴によって用紙Ｐ上にドットが形成される。
【０１３７】
インク乾燥制御部２２０は、システムコントローラ２００からの指令に応じて、インク乾燥部２１の動作を制御する。インク乾燥制御部２２０は、図１で説明した加熱乾燥ユニット６８の動作を制御し、乾燥温度、乾燥風の風量、乾燥気体の噴射タイミングなど、を制御する。
【０１３８】
図１０の排紙制御部２２４は、システムコントローラ２００からの指令に応じて、排紙台７６（図１参照）に用紙Ｐがスタックされるように、排紙部２２の動作を制御する。
【０１３９】
操作部２３０と表示部２３２はユーザインターフェース(ＵＩ)として機能する。操作部２３０に、キーボード、マウス、タッチパネル、トラックボール、操作ボタンなど、各種の手段を採用することができ、これらの適宜の組み合わせであってもよい。
【０１４０】
操作部２３０から入力された情報はシステムコントローラ２００に送られる。システムコントローラ２００は、操作部２３０からの情報に応じて各種処理を実行する。
【０１４１】
表示部２３２は、液晶表示パネル等の表示装置を備える。表示部２３２はシステムコントローラ２００からの指令に応じて、装置の各種設定情報、異常情報などの情報を表示する。操作者（オペレータ）であるユーザは、表示部２３２の画面に表示される内容を見ながら操作部２３０を使って印刷条件の入力、画質モードの選択、付属情報の入力や編集、情報の検索など各種情報の入力を行うことができる。また、ユーザは、表示部２３２の表示を通じて、入力内容その他の各種情報を確認することができ、システムの状態や動作状況などを把握することが可能である。
【０１４２】
パラメータ記憶部２３４は、インクジェット記録装置１０に使用される各種パラメータが記憶される手段である。パラメータ記憶部２３４に記憶されるパラメータには、制御に必要な設定値や閾値のデータが含まれる。パラメータ記憶部２３４に記憶されている各種パラメータは、システムコントローラ２００を介して読み出され、装置各部に設定される。
【０１４３】
プログラム格納部２３６は、インクジェット記録装置１０の各部に使用されるプログラムが格納される手段である。プログラム格納部２３６に格納されている各種プログラムは、システムコントローラ２００を介して読み出され、装置各部において実行される。なお、後述する冷却処理を含む制御プログラムは、プログラム格納部２３６に格納されるプログラムの一つである。
【０１４４】
図１１はインクジェット記録装置１０における描画部１８の温度上昇を抑制する制御に関する要部ブロック図である。図１１に示した制御部２６０は、図１０で説明したシステムコントローラ２００と処理液乾燥制御部２１６とを組み合わせたブロックである。
【０１４５】
処理液乾燥制御部２１６は、ヒータドライバ２６２、ファンドライバ２６４、吸気ファンドライバ２６６を含む。ヒータドライバ２６２はシステムコントローラ２００からの指令に従い、熱風ユニット５０のヒータ９４を駆動する。ヒータドライバ２６２からヒータ９４に供給されるヒータ駆動信号によってヒータ９４のオン／オフの切り換えや、加熱温度の調整が行われる。
【０１４６】
ファンドライバ２６４はシステムコントローラ２００からの指令に従い、熱風ユニット５０のファン９６を駆動する。ファンドライバ２６４からファン９６に供給されるファン駆動信号によってファン９６のオン／オフの切り換えや、風量の調整が行われる。風量の調整はファン９６の回転速度を制御することにより調整することができる。
【０１４７】
吸気ファンドライバ２６６はシステムコントローラ２００からの指令に従い、吸気ファン４９を駆動する。吸気ファンドライバ２６６から吸気ファン４９に供給されるファン駆動信号によって吸気ファン４９のオン／オフの切り換えや、風量の調整が行われる。
【０１４８】
制御部２６０は、温度センサ１００から得られる温度検出信号や操作部２３０から入力される入力信号に基づき、ヒータ９４、ファン９６、並びに、吸気ファン４９の駆動を制御する。
【０１４９】
また、インクジェット記録装置１０には、排気装置２８０が接続されている。排気装置２８０は、排気制御部２８２と、排気ファンドライバ２８４と、排気ファン２８６とを備える。排気装置２８０は、図２で説明した排気ダクト５１に接続され、排気ダクト５１内の空気を強制的に機外へ排出する排気方向の気流を発生される装置である。排気装置２８０は、インクジェット記録装置１０とは別体の装置として構成されており、図示せぬ管路を介して、排気ダクト５１に接続される。
【０１５０】
排気制御部２８２は排気ファン２８６の駆動を制御する。排気ファンドライバ２８４は、排気制御部２８２からの指令に従い、排気ファン２８６を駆動する。
【０１５１】
排気制御部２８２はシステムコントローラ２００と連携して、排気ファン２８６の駆動を制御してもよいし、システムコントローラ２００から独立して排気ファン２８６を制御する構成でもよい。
【０１５２】
なお、排気装置２８０の構成をインクジェット記録装置１０に搭載する形態も可能である。その場合、システムコントローラ２００と排気制御部２８２とを統合した制御部を構成することも可能である。
【０１５３】
＜制御方法の例＞
次に、インクジェット記録装置１０における描画部１８の温度上昇を抑制する制御の具体例を説明する。図１２では、図１１で説明した熱風ユニット５０のヒータ９４と、熱風ユニット５０のファン９６と、排気装置２８０の排気ファン２８６と、吸気ファン４９の各要素について、印刷状態と、冷却処理中の状態と、印刷可能状態である印刷待機状態とのそれぞれの状態で制御されるＯＮ／ＯＦＦの状況を図表にまとめたものである。
【０１５４】
印刷ジョブの実行によって目的の印刷画像を印刷している印刷状態では、ヒータ９４、ファン９６、排気ファン２８６、吸気ファン４９の全ての要素がＯＮとなる。すなわち、印刷状態では、ヒータ９４による加熱が行われ、かつファン９６による送風が行われて熱風ユニット５０から熱風が吹き出される。また、印刷状態では、排気ファン２８６によって機内から機外へ強制的な排気が行われ、かつ、吸気ファン４９の駆動によって機外から機内に空気が取り込まれる。
【０１５５】
描画胴５２の温度が上昇した場合には、冷却処理に移行する。冷却処理は、描画胴５２を積極的に冷やして描画胴５２の温度を下げるための空冷処理である。冷却処理の際には、熱風ユニット５０のヒータ９４を停止させ、ヒータ９４の非加熱状態で、かつファン９６による送風が行われる。この非加熱風は冷却用の気流として機能する。
【０１５６】
また、冷却処理の際には、排気ファン２８６によって機内から機外へ強制的な排気が行われ、かつ、吸気ファン４９の駆動によって機外から新鮮な空気が機内に取り込まれる。冷却処理を実施する制御が「冷却制御」の一形態に相当する。
【０１５７】
描画部１８の温度が許容範囲内となった印刷可能な待機状態の場合には、熱風ユニット５０のヒータ９４とファン９６、並びに吸気ファン４９をすべてＯＦＦとし、排気ファン２８６のみをＯＮとする。なお、排気ファン２８６は、印刷状態、冷却処理状態、印刷可能な待機状態を通じて、常時ＯＮの状態となっている。
【０１５８】
熱風ユニット５０のヒータ９４とファン９６はともに、印刷の開始／終了に連動して、ＯＮ／ＯＦＦの切り換えが行われる。
【０１５９】
図１３はインクジェット記録装置１０における描画部１８の温度上昇を抑制する制御の例を示したフローチャートである。
【０１６０】
図１３の制御の処理がスタートすると、描画胴５２の温度の監視が行われる（ステップＳ１２）。すなわち、温度センサ１００によって描画胴５２の温度が測定される。ステップＳ１２で測定された描画胴５２の温度と予め定められている閾値との比較が行われ、描画胴５２の温度が閾値以上に上昇したか否かが判断される（ステップＳ１４）。閾値は、描画胴５２の温度の許容上限を規定する値として設定されている。
【０１６１】
描画胴５２の温度が閾値未満である場合には、現状が維持される（ステップＳ１６）。「現状が維持される」とは、印刷状態、冷却処理中の状態、印刷待機状態のそれぞれの状態において図１２で説明した制御内容が維持されることを意味する。
【０１６２】
ステップＳ１４において、描画胴５２の温度が閾値以上である場合は、ステップＳ１８に進み、印刷中であるか否かの判断がなされる。印刷の実行中である場合にはステップＳ１８でＹｅｓ判定となり、ステップＳ２０へ進む。ステップＳ２０では、描画胴５２の温度が閾値以上に上昇した旨をユーザに提示する警告表示が行われる。警告表示は、図１０及び図１１で説明した表示部２３２に表示される。表示部２３２は「警告提示部」の一形態に相当する。表示部２３２による警告表示に代えて、又は、これと組み合わせて、音声による警告提示やランプ点灯／点滅などによる警告提示の手段を採用してもよい。
【０１６３】
ステップＳ２０の警告表示に加え、ユーザからの印刷停止の指示を受け付ける（ステップＳ２２）。ユーザは操作部２３０（図１０及び図１１参照）から印刷停止の指示を入力することができる。
【０１６４】
次いで、印刷を継続するか否かの判断が行われる（ステップＳ２４）。ユーザから印刷停止の指示が入力されていない場合はステップＳ２４にてＹｅｓ判定となり、印刷状態が維持される（ステップＳ２６）。その一方、ユーザから印刷停止の指示が入力された場合はステップＳ２４にてＮｏ判定となり、印刷を停止して（ステップＳ２８）、冷却処理（ステップＳ３０）に移行する。
【０１６５】
また、ステップＳ１８においてＮｏ判定の場合、つまり、ステップＳ１８において印刷中ではない場合においても、ステップＳ３０の冷却処理に移行する。
【０１６６】
ステップＳ２６の後、又はステップＳ３０の後はステップＳ３２に進み、処理を終了するか否かの判断を行う。
【０１６７】
印刷ジョブが未完了の場合や連続印刷の継続中などの場合はステップＳ３２でＮｏ判定となり、ステップＳ１２に戻る。その一方、ステップＳ３２において、印刷ジョブが完了した場合や、ユーザが印刷終了の指示を入力した場合などは、ステップＳ３２でＹｅｓ判定となり、制御処理を終了する。
【０１６８】
図１４は、冷却処理（図１３のステップＳ３０）の内容を示したフローチャートである。冷却処理に移行すると、熱風ユニット５０のヒータ９４をＯＦＦにする（ステップＳ６２）。また、熱風ユニット５０のファン９６はＯＮ（ステップＳ６４）、排気ファン２８６はＯＮ（ステップＳ６６）、吸気ファン４９はＯＮ（ステップＳ６８）の状態とする。なお、ステップＳ６４からステップＳ６８は印刷状態からそのまま引き継ぐことができる。図１４では便宜上、ステップＳ６２からステップＳ６８の順番で示しているが、図１２で説明した各要素のＯＮ／ＯＦＦの組み合わせが実現できればよい。
【０１６９】
次いで、描画胴５２の温度が閾値を下回ったか否かの判断が行われる（ステップＳ７０）。ステップＳ７０で用いる閾値は、図１３のステップＳ１４で説明した閾値と同じ値とすることができる。また、ステップＳ７０で用いる閾値は、図１３のステップＳ１４で説明した閾値よりも小さい値とすることもできる。温度センサ１００によって描画胴５２の温度が測定され、描画胴５２の温度が閾値未満になったか否が判断される。
【０１７０】
描画胴５２の温度が閾値以上である場合は、ステップＳ７０でＮｏ判定となり、現状の冷却処理の状態が継続される。描画胴５２の温度が閾値未満に低下したことが確認されると、ステップＳ７０でＹｅｓ判定となり、印刷可能状態へ移行する（ステップＳ８０）。印刷可能状態は、図１２の「印刷可能（待機）状態」として記載した状態である。
【０１７１】
すなわち図１４のステップＳ８０で印刷可能状態へ移行すると、熱風ユニット５０のヒータ９４はＯＦＦの状態とし（ステップＳ８２）、ファン９６もＯＦＦにする（ステップＳ８４）。排気ファンはＯＮの状態とし（ステップＳ８６）、吸気ファン４９をＯＦＦにする（ステップＳ８８）。
【０１７２】
なお、ステップＳ８２とステップＳ８６は、それぞれステップＳ６２とステップＳ６６の状態からそのまま、それぞれの状態を引き継ぐことができる。図１４では便宜上、ステップＳ８２からステップＳ８８の順番で示しているが、図１２で説明した各要素のＯＮ／ＯＦＦの組み合わせが実現できればよい。
【０１７３】
図１４のステップＳ８８の後は、図１３のフローチャートに復帰する。
【０１７４】
図１３及び図１４で説明したフローチャートによれば、印刷ジョブと印刷ジョブとの間や、ユーザによる印刷停止の指示に基づく印刷停止中など、印刷を実行していない非印刷期間に冷却処理を行うことができる。図１３のステップＳ２２に対して、ユーザが印刷停止の指示を入力しない場合には、開始中の印刷ジョブはそのまま継続され、当該印刷ジョブの終了後、次の印刷ジョブを開始するまでの非印刷中である印刷ジョブ間に冷却処理に移行することになる。
【０１７５】
仮に、印刷ジョブの実行中に冷却処理を実施すると、印刷中に乾燥条件が変化して、乾燥ムラが発生することが懸念されるが、非印刷期間に冷却処理を行うことで、そのような乾燥ムラを回避することができる。
【０１７６】
＜インクについて＞
本実施形態に用いるインクは、溶媒不溶性材料として、色材（着色剤）である顔料やポリマー微粒子などを含有する水性顔料インクが用いることができる。
【０１７７】
色材は、顔料或いは染料と顔料とを混合して用いることができる。処理液との接触時における凝集性の観点から、インク中で分散状態にある顔料の方がより効果的に凝集するため好ましい。また、インクには、処理液と反応する成分として、着色剤を含まないポリマー微粒子を添加することが好ましい。ポリマー微粒子は、処理液との反応によりインクの増粘作用、凝集作用を強め、画像品位の向上させることができる。また、ポリマー微粒子の種類によっては、ポリマー微粒子が記録媒体で皮膜を形成し、画像の耐擦性、耐水性をも向上させる効果を有する。
【０１７８】
＜処理液について＞
本発明の実施に際して用いる処理液（凝集処理液）として、インクのｐＨを変化させることにより、インクに含有される顔料およびポリマー微粒子を凝集させ、凝集物を生じさせるような処理液が好ましい。
【０１７９】
処理液の成分として、ポリアクリル酸、酢酸、グリコール酸、マロン酸、リンゴ酸、マレイン酸、アスコルビン酸、コハク酸、グルタル酸、フマル酸、クエン酸、酒石酸、乳酸、スルホン酸、オルトリン酸、ピロリドンカルボン酸、ピロンカルボン酸、ピロールカルボン酸、フランカルボン酸、ビリジンカルボン酸、クマリン酸、チオフェンカルボン酸、ニコチン酸、若しくはこれらの化合物の誘導体、又はこれらの塩等の中から選ばれることが好ましい。
【０１８０】
また、処理液の好ましい例として、多価金属塩あるいはポリアリルアミンを添加した処理液を挙げることができる。これらの化合物は、１種類で使用されてもよく、２種類以上併用されてもよい。その他必要に応じ、界面活性剤、ｐＨ緩衝剤、酸化防止剤、防カビ剤、粘度調整剤、導電剤、紫外線吸収剤等も添加することができる。
【０１８１】
＜実施形態による利点＞
本例のインクジェット記録装置１０によれば、次のような利点がある。
【０１８２】
（１）描画部１８に隣接する処理液乾燥部１６の排気性能が強化されているため、処理液乾燥部１６に熱がこもりにくく、描画胴５２の温度の上昇そのものを抑制する効果がある。
【０１８３】
（２）処理液乾燥部１６における排気強化の構成に加えて、吸気部４７を通じて機外から相対的に湿度の低い空気を取り込んでいるため、処理液乾燥部１６に熱をこもらせることなく、熱風ユニット５０からの熱風によって十分な乾燥を実現できる。また、処理液乾燥部１６の空気循環が強化されており、温度上昇の抑制効果、空冷の冷却効果が高められている。
【０１８４】
（３）さらに、描画胴５２の温度が上昇したとしても、熱風ユニット５０のヒータ９４を止めて、ファン９６のみを駆動する非加熱の送風を行うことで、排気強化の構成と相まって、描画胴５２を空冷し、描画胴５２の温度を下げる冷却効果を得ることができる。
【０１８５】
（４）従来の装置構成では、処理液乾燥部によって処理液を乾燥させたときに発生する湿気が描画部にあるインクジェットヘッドのノズル面を結露させるという課題があるが、この点、本実施形態によれば、処理液乾燥部１６によって処理液を乾燥させたときに発生する湿気が排気ダクト５１を通じて機外に排出されるため、描画部１８周辺の湿度上昇が抑制される。これにより、本実施形態のインクジェット記録装置１０は、従来の装置構成と比較してノズル面の結露が発生しにくい。
【０１８６】
（５）従来、描画部の前段に処理液乾燥部を有し、かつ描画部の後段にインク乾燥部を有する装置構成の場合、描画部の前後両方から、熱が伝搬して描画部の温度を上昇させてしまうという課題があるが、この点、本実施形態によれば、描画部の温度上昇を効果的に抑制することができる。
【０１８７】
（６）描画部の温度上昇に起因する画像不良等の発生を抑制することができる。すなわち、本実施形態によれば、処理液乾燥部１６の排気強化によって温度と湿度の上昇が抑制され、さらに、ヒータ９４をＯＦＦにした非加熱送風による積極的な冷却制御により、描画部１８の温度を下げることができる。これにより、結露が防止され、画像欠陥を回避できる。
【０１８８】
＜変形例１＞
第１実施形態では、描画部の手前に隣接する処理液乾燥部についての排気構造と冷却制御並びに吸気構造の例を説明したが、これに代えて、又は、これと組み合わせて、描画部の後段に隣接するインク乾燥部について、同様の排気構造と冷却制御並びに吸気構造を採用する形態も可能である。
【０１８９】
＜変形例２＞
第１実施形態では、描画胴５２の温度を監視する手段として温度センサ１００を備え、温度センサ１００で監視した結果を隣接する処理液乾燥部１６の制御にフィードバックする制御機構を備える例を説明したが、発明の実施に際して、温度センサ１００を省略する形態も可能である。温度の測定結果に基づく冷却処理の実施を制御する構成に代えて、例えば、印刷の枚数や印刷時間に基づいて、冷却処理への移行を制御することも可能であり、また、印刷ジョブを完了する毎に、冷却処理を実施するという態様も可能である。なお、開始した冷却処理は時間管理によって終了させることができる。
【０１９０】
＜変形例３＞
図１３のステップＳ１４では、閾値以上となった場合にＹｅｓ判定とする例を説明したが、測定された温度が閾値と等しい場合の取り扱いについては、閾値の定め方によって変わり得る。すなわち、閾値の定め方によっては、ステップＳ１４について、閾値を超えた場合にＹｅｓ判定とし、閾値以下の場合にはＮｏ判定とするという形態も可能である。
【０１９１】
このように、測定された温度が閾値と一致する場合の取り扱いの任意性については、図１４のステップＳ７０についても同様である。
【０１９２】
＜変形例４＞
第１実施形態では描画部１８の上流側の処理液乾燥部１６に関する構造と制御について説明したが、これに代えて、又は、これと組み合わせて、描画部１８の下流側のインク乾燥部２１について、同様の構造と制御を適用することも可能である。発明の実施に際して、処理液付与部や処理液乾燥部を省略する形態も可能であり、画像形成後のインク乾燥部について、上記と同様の構造と制御を適用する形態とすることができる。
【０１９３】
＜変形例５＞
第１実施形態では、記録媒体として枚葉紙（カット紙）を用いる例を説明したが、連続用紙（ロール紙）から必要なサイズに切断して給紙する構成も可能である。「記録媒体」は、印字媒体、被記録媒体、被画像形成媒体、受像媒体、被吐出媒体など様々な用語で呼ばれるものが含まれる。本発明の実施に際して、記録媒体の材質や形状等は、特に限定されない。シール用紙、樹脂シート、フィルム、布、不織布、ゴムシート、その他材質や形状を問わず、様々なシート体を用いることができる。
【０１９４】
＜変形例６＞
第１実施形態では、用紙Ｐの搬送手段として、ドラム搬送方式とチェーン搬送方式とを組み合わせた用紙搬送系を採用した印刷装置の例を説明したが、用紙搬送手段は、この例に限らない。用紙搬送手段として、ドラム搬送方式、フラット搬送方式、ベルト搬送方式、ニップ搬送方式、チェーン搬送方式など、各種の搬送方式を採用することができ、これらを適宜組み合わせることができる。
【０１９５】
＜記録媒体搬送装置について＞
第１実施形態のインクジェット記録装置１０における図２から図９で説明した処理液乾燥部１６の構成と、図１１から図１４で説明した制御を行う制御部２６０とを組み合わせた構成は「記録媒体搬送装置」の一形態に相当する。
【０１９６】
＜第２実施形態＞
図１５は第２実施形態に係る印刷装置としてのインクジェット記録装置の要部構成図である。このインクジェット記録装置３１０は、用紙Ｐをフラットな状態で搬送するフラット搬送方式の印刷装置である。インクジェット記録装置３１０は、搬送ボード３１２と、インクジェットヘッド３１６Ｍ、３１６Ｋ、３１６Ｃ、３１６Ｙと、第１熱風ユニット３２０と、第２熱風ユニット３２２と、第１排気機構３３０と、第２排気機構３３２と、温度センサ１００とを備える。
【０１９７】
また、インクジェット記録装置３１０の天面外装パネル３３８には、第１吸気部３４０と第２吸気部３４２が設けられている。第１吸気部３４０には第１吸気ファン３５０が取り付けられており、第２吸気部３４２には第２吸気ファン３５２が取り付けられている。
【０１９８】
搬送ボード３１２は、用紙Ｐのフラット搬送をガイドするガイド面３１２Ａを有する。用紙Ｐは、搬送ボード３１２のガイド面３１２Ａに沿って、図１５の右から左へと搬送される。搬送ボード３１２は、「ガイド部材」の一形態に相当する。
【０１９９】
用紙Ｐの搬送手段として、例えば、各用紙Ｐは図示せぬ搬送パレットその他の用紙保持部材に保持され、用紙Ｐを保持した用紙保持部材が不動の搬送ボード３１２の上を移動する形態とすることができる。また、搬送ボード３１２上に用紙Ｐを固定し、搬送ボード３１２とともに用紙Ｐを移動させる形態も可能である。
【０２００】
インクジェットヘッド３１６Ｍ、３１６Ｋ、３１６Ｃ、３１６Ｙは、第１実施形態で説明したインクジェットヘッド５６Ｍ，５６Ｋ、５６Ｃ、５６Ｙに対応するものである。
【０２０１】
第１熱風ユニット３２０と第２熱風ユニット３２２は、図３及び図４で説明した熱風ユニット５０と同様のものである。
【０２０２】
搬送ボード３１２は、第１熱風ユニット３２０の送風口３２０Ａから出る熱風を搬送ボード３１２の重力方向下側の下部領域へと逃がす通気用の開口部３６０を有する。また、搬送ボード３１２は、第２熱風ユニット３２２の送風口３２２Ａから出る熱風を搬送ボード３１２の重力方向下側の下部領域へと逃がす通気用の開口部３６２を有する。
【０２０３】
第１排気機構３３０と第２排気機構３３２は、第１実施形態で説明した排気ダクト５１に対応するものである。第１排気機構３３０は搬送ボード３１２を挟んで第１熱風ユニット３２０と対向する位置に設置される。第２排気機構３３２は搬送ボード３１２を挟んで第２熱風ユニット３２２と対向する位置に設置される。
【０２０４】
第１排気機構３３０と第２排気機構３３２は、図示せぬ排気装置に接続されている。第１排気機構３３０と第２排気機構３３２は、開口部３６０、３６２を介して搬送ボード３１２の下部領域に移動した空気を機外に排出する役割を果たす。
【０２０５】
第１吸気部３４０は、第１熱風ユニット３２０の上方に設けられる。第２吸気部３４２は、第２熱風ユニット３２２の上方に設けられる。
【０２０６】
図１５に示したインクジェット記録装置３１０の構成において、インクジェットヘッド３１６Ｍ、３１６Ｋ、３１６Ｃ、３１６Ｙによる画像形成を行う領域が描画部３７０である。また、インクジェット記録装置３１０は描画部３７０を挟んで用紙搬送方向の上流側に第１乾燥部３８０を備え、描画部３７０の下流側に第２乾燥部３８２を備える。
【０２０７】
第１乾燥部３８０は、第１実施形態の処理液乾燥部１６に対応する役割を果たすものであり、第１熱風ユニット３２０によって処理液の乾燥を行う。
【０２０８】
第２乾燥部３８２は、第１実施形態のインク乾燥部２１に対応する役割を果たすものであり、第２熱風ユニット３２２によってインクの乾燥を行う。
【０２０９】
第１熱風ユニット３２０や第２熱風ユニット３２２から吹き出された風は、搬送ボード３１２にあたって向きが変わり、搬送ボード３１２の上を流れる気流となる。
【０２１０】
温度センサ１００は、搬送ボード３１２における描画部３７０に対応する領域の温度を検出する。温度センサ１００によって搬送ボード３１２の温度を測定し、閾値以上の温度が検出された場合に、その検出結果に基づき、第１熱風ユニット３２０及び第２熱風ユニット３２２のそれぞれのヒータをＯＦＦにし、非加熱の送風を行う冷却処理の制御を行う。冷却処理の制御内容は第１実施形態で説明した例と同様である。
【０２１１】
第１熱風ユニット３２０及び第２熱風ユニット３２２のそれぞれのヒータをＯＦＦにした状態で、非加熱の送風を行うことにより、新鮮風をインクジェットヘッド３１６Ｍ、３１６Ｋ、３１６Ｃ、３１６Ｙのノズル面の下、すなわち、ノズル面と搬送ボード３１２との間に供給することができる。これにより、搬送ボード３１２の温度上昇が抑制され、ノズル面の結露を防止することができる。
【０２１２】
図１５に示す例では、搬送ボード３１２における描画部３７０に対応する領域の部分が「第１搬送部」の一形態に相当し、搬送ボード３１２における第１乾燥部３８０に対応する領域の部分が「第２搬送部」の一形態に相当する。
【０２１３】
第２実施形態においても第１実施形態と同様の効果が得られる。
【０２１４】
以上説明した本発明の実施形態は、本発明の趣旨を逸脱しない範囲で、適宜構成要件を変更、追加、削除することが可能である。本発明は以上説明した実施形態に限定されるものではなく、本発明の技術的思想内で当該分野の通常の知識を有するものにより、多くの変形が可能である。
【符号の説明】
【０２１５】
１０…インクジェット記録装置、１４…処理液付与部、１６…処理液乾燥部、１８…描画部、４６…処理液乾燥胴、４６Ａ…グリッパ、４７…吸気部、４８…ガイド部材、４９…吸気ファン、５０…熱風ユニット、５１…排気ダクト、５２…描画部、５６Ｍ，５６Ｋ，５６Ｃ，５６Ｙ…インクジェットヘッド、９４…ヒータ、９６…ファン、９８…送風口、１００…温度センサ、１２０…ガイド面、１２２…開口部、１２６…通気孔、１４０…開閉機構、１４４…可動部、２００…システムコントローラ、２１６…処理液乾燥制御部、２８０…排気装置、２８６…排気ファン、３１０…インクジェット記録装置、３１２…搬送ボード、３１６Ｍ，３１６Ｋ，３１６Ｃ，３１６Ｙ…インクジェットヘッド、３２０…第１熱風ユニット、３２２…第２熱風ユニット、３４０…第１吸気部、３４２…第２吸気部、３５０…第１吸気ファン、３５２…第２吸気ファン、３６０，３６２…開口部、３７０…描画部、３８０…第１乾燥部、３８２…第２乾燥部、Ｐ…用紙
【図１】
2015217609.tif 000003
【図２】
2015217609.tif 000004
【図３】
2015217609.tif 000005
【図４】
2015217609.tif 000006
【図５】
2015217609.tif 000007
【図６】
2015217609.tif 000008
【図７】
2015217609.tif 000009
【図８】
2015217609.tif 000010
【図９】
2015217609.tif 000011
【図１０】
2015217609.tif 000012
【図１１】
2015217609.tif 000013
【図１２】
2015217609.tif 000014
【図１３】
2015217609.tif 000015
【図１４】
2015217609.tif 000016
【図１５】
2015217609.tif 000017